(57)【特許請求の範囲】
【請求項１】
ガスレンジの鍋下敷部に置かれている鍋の底面に密着される集熱板を弾性的に支えるスプリングの下端の外周部を囲むスプリング支持部と、前記スプリング支持部の下端部から中心軸方向に折り曲げされて前記スプリングの底面を支えるスプリング下敷部と、前記スプリング下敷部の内周面から下方に延在されたシャフト本体と、を有するシャフト、及び、上端部において前記集熱板と一体型で連結された状態で、中央部において前記スプリング及び前記シャフトの前記スプリング支持部を囲み、下端部には前記スプリング下敷部の底面を支えるように内側に折り曲げされた折り曲げ部が設けられ、前記折り曲げ部から再び下方に延在されて、前記シャフト本体の外周面上端部を囲んだ状態で前記シャフトに対して上下に弾性昇降されるケース
を含むガスレンジ用過熱防止装置であって、
前記スプリング支持部の直径が、前記シャフト本体の直径よりも大きく、そして、
前記シャフトと前記ケースがわいてあふれた汁物によって互いに固着しないように、前記ケースに結合される別の分離型構造として固着防止手段が設けられ、
前記固着防止手段として、前記ケースに沿ってあふれて落ちた汁物の前記ケースの下端部と前記シャフトが会うところへの流入を防止するように、前記ケースの下端部から外側に流れるように汁物の流れを案内する、上方が狭くて下方が広い構造の固着防止カバーが設けられ、
前記固着防止カバーは、上端部がまっすぐに伸びている直管部と、前記直管部に通じて、前記直管部の下端部から下方に向かって広くなる円錐形状の円錐部と、を有し、
前記固着防止カバーの直管部が、前記ケースの前記中央部と同じ直径を有し、
前記直管部の上端部が前記ケースの前記折り曲げ部の底面に密着配置され、
前記固着防止カバーは、別に分離構成された状態で前記ケースに一体型で押し込んで固定されるが、前記直管部の上端部において内側に向かって直角に折り曲げされて一定の長さだけ延在し、再び下方に向かって直角に折り曲げされて一定の長さだけ延在する弾性部によって、弾性的に押し込まれるようになっている
ことを特徴とするガスレンジ用過熱防止装置。
【発明の詳細な説明】
【技術分野】
【０００１】
本発明は、ガスレンジ用過熱防止装置に関するものであって、より詳しくはケースの下端部とシャフトが会う地点に汁物が流入されることを防止するためにこの流入部分に該当するケースに別の分離型構造である固着防止手段を設けることで、シャフトとケースがわいてあふれた汁物によって互いに固着しないようにするガスレンジ用過熱防止装置に関するものである。
【背景技術】
【０００２】
一般的にガスレンジ用過熱防止装置は、ガスレンジの鍋下敷部上に置かれている鍋の底面に集熱板を密着させて、この集熱板に熱伝導された熱をセンサーが感知した後、コントローラに送るとコントローラはあらかじめ設定された鍋の過熱基準温度と対比して、この過熱基準温度より高ければガスレンジへのガス供給を遮断して鍋の過熱による危険要素をあらかじめ遮断するようにするための装置を言う。
【０００３】
一例で、従来技術のガスレンジ用過熱防止装置を概略的に見れば次の通りである。
【０００４】
図１で示したように、前記一例による従来技術のガスレンジ用過熱防止装置は、ガスレンジの鍋下敷部に置かれている鍋１の底面に密着される集熱板２と、前記集熱板２の底面に密着配置され、下端部に延長されてコントローラ(不図示)と連結されるケーブル(不図示)が設けられたセンシング素子(不図示)と、前記集熱板２を弾性的に支えるスプリング(不図示)と、前記スプリングを支えて支持するシャフト３と、前記集熱板２とその上端部が一体型で連結された状態でスプリング及びシャフトの外周面上端部をくるんで前記シャフト３に対して上下に弾性昇降されるケース４を含んで構成される。
【０００５】
このような従来技術の過熱防止装置は鍋下敷部の中央に置かれている集熱板２上に鍋１が載せられれば、この鍋１の荷重によってスプリングが弾力的に下降しながら集熱板２が鍋１の底面に弾性的に密着されるようになる。
【０００６】
そして、このような状態で、ガスレンジの火炎が噴出されて鍋１が加熱されると、この鍋１の温度が集熱板２に熱伝導され集熱板２の底面のセンシング素子がセンシングして別のコントローラに送って温度比較を通じて火炎供給を希望温度で遮断できるようにすることである。
【０００７】
一方、鍋１の荷重によってケース４は、スプリングとともにシャフト３に乗って下方に一定高さに下降されている途中、鍋が除去されるとケース４はスプリングの反発力によって元の状態に復帰されるようになっている。
【０００８】
しかし、このような従来技術のガスレンジ用過熱防止装置は、汁物がわいて満ち溢れる場合、汁物がケースの下端部とシャフトが会う地点に流入されることを遮断するための遮断手段が設けられていないため、汁物が流入されてケースとシャフトが互いに固着する場合、シャフトに対してケースが弾性的に昇降されることができなくなり、結局、装置は作動不能になるなどの問題があった。
【発明の概要】
【発明が解決しようとする課題】
【０００９】
そこで、本発明は、ケースの下端部とシャフトが会う地点に汁物が流入されることを防止するために、この流入部分に該当するケースに別の分離型構造である固着防止手段を設けることで、シャフトとケースがわいてあふれた汁物によって互いに固着する心配がないので、結果的に製品に対する信頼性が向上できるガスレンジ用過熱防止装置を提供することにその目的がある。
【課題を解決するための手段】
【００１０】
このような前記目的を果たすための本発明のガスレンジ用過熱防止装置は、ガスレンジの鍋下敷部に置かれている鍋の底面に密着される集熱板を弾性的に支えるスプリングの下端部外周部を囲む大直径構造のスプリング支持部と、このスプリング支持部の下端部から中心軸方向に折り曲げてスプリングの底面を支えるスプリング下敷部と、このスプリング下敷部の内週面で下方に延長される小直径構造のシャフト本体からなるシャフト;及び前記集熱板とその上端部が一体型で連結された状態でその中央部がスプリング及びシャフトのスプリング支持部を囲み、その下端部にスプリング下敷部の底面を支えるように内側に折り曲げた折り曲げ部が設けられ、この折り曲げ部から再び下方に延長されてシャフト本体の外周面上端部を囲んだ状態で、前記シャフトに対して上下に弾性昇降されるケースを含んで構成されるガスレンジ用過熱防止装置において、前記シャフトとケースがわいてあふれた汁物によって互いに固着しないように前記ケースに結合される別の分離型構造である固着防止手段が設けられたことを特徴とする。
【００１１】
また、本発明の一実施例によるガスレンジ用過熱防止装置において、前記固着防止手段は、ケースに沿って流れ落ちた汁物が、前記ケースの下端部とシャフトが会う地点に流入されることを防止するために前記ケースの下端部から外側に流れるように汁物の流れを案内する、上方が狭くて下方が広い上狭下広構造の固着防止カバーであることが望ましい。
【００１２】
また、本発明の一実施例によるガスレンジ用過熱防止装置において、前記固着防止カバーは、上端部が直管形状を有する直管部と、この直管部の下端部で下方に広くなる円錐形状を有する円錐部が連続される構造からなることが望ましい。
【００１３】
また、本発明の一実施例によるガスレンジ用過熱防止装置において、前記固着防止カバーの直管部は、ケースの中央部と同一な直径を有し、この直管部の上端部が前記ケースの折り曲げ部の底面に密着配置されることが望ましい。
【００１４】
また、本発明の一実施例によるガスレンジ用過熱防止装置において、前記固着防止カバーは、別に分離構成された状態で、前記ケースに一体型で押し込んで固定されるが、前記直管部の上端部にその内側に一定長さが直角に折り曲げされている途中、再び下方に一定長さが直角に折り曲げされて弾性的押し込まれるようにする弾性部がさらに備えたことが望ましい。
【発明の効果】
【００１５】
以上のように、本発明のガスレンジ用過熱防止装置は、ケースの下端部とシャフトが会う地点に汁物が流入されることを防止するために、この流入部分に該当するケースに別の分離型構造である固着防止手段を設けることによって、シャフトとケースがわいてあふれた汁物によって互いに固着する心配がなくなり、結果的には、製品に対する信頼性が向上できるなどの效果を得る。
【図面の簡単な説明】
【００１６】
【図１】図１は、従来技術のガスレンジ用過熱防止装置を示す概路図である。
【図２】図２は、本発明の一実施形態に係るガスレンジ用過熱防止装置を示す概路図である。
【図３】図３は、本発明の一実施形態に係るガスレンジ用過熱防止装置を示す概略断面図である。
【図４】図４は、本発明の一実施形態に係るガスレンジ用過熱防止装置の中で、固着防止カバー部位を示す要部拡大図である。
【発明を実施するための形態】
【００１７】
以下、添付の図面に基づいて本発明を説明する。
【００１８】
図２ないし図４で示すように、本発明の一実施形態に係るガスレンジ用過熱防止装置は、ガスレンジの鍋下敷部に置かれている鍋１０の底面に密着される集熱板２０を弾性的に支えるスプリング３０の下端部外周部を囲む大直径構造のスプリング支持部４１と、このスプリング支持部４１の下端部から中心軸方向に折り曲げされて、スプリング３０の底面を支えるスプリング下敷部４２と、このスプリング下敷部４２の内周面から下方に延長される小直径構造のシャフト本体４３とを有するシャフト４０及び前記集熱板２０とその上端部が一体型で連結された状態でその中央部がスプリング３０及びシャフト４０のスプリング支持部４１を囲んでその下端部にスプリング下敷部４２の底面を支えるように、内側へ折り曲げされた折り曲げ部５１が設けられ、この折り曲げ部５１から再び下方に延長されてシャフト本体４３の外周面上端部を囲んだ状態で前記シャフト４０に対して上下に弾性昇降されるケース５０を含む構成となっている。
【００１９】
そして、前記シャフト４０とケース５０がわいてあふれた汁物によって互いに固着しないように、前記ケース５０に結合される別の分離型構造である固着防止手段が設けられている。
【００２０】
ここで、前記固着防止手段は、ケース５０に乗って流れてあふれた汁物が前記ケース５０の下端部とシャフト４０が会う地点に流入されることを防止するために、前記ケース５０の下端部から外側に流れるように汁物の流れを案内する、上方が狭くて下方が広い上狭下広構造の固着防止カバー６０であっても良い。
【００２１】
そして、前記固着防止カバー６０は、上端部が直管形状を有する直管部６１と、この直管部６１の下端部から下方に広くなる円錐形状を有する円錐部６２が連続される構造からなる。
【００２２】
そして、前記固着防止カバー６０の直管部６１はケース５０の中央部と同一な直径を有し、この直管部６１の上端部が前記ケース５０の折り曲げ部５１の底面に密着配置される構造からなっている。
【００２３】
そして、前記固着防止カバー６０は別に分離構成された状態で、前記ケース５０に一体型で押し込んで固定され、前記直管部６１の上端部にその内側に一定の長さが直角に折り曲げされている途中、再び下方に一定の長さが直角に折り曲げされて弾性的に押し込まれるようにする弾性部６３が設けられている。
【００２４】
未説明符号７０は、センシング素子を示すことであり、７１はセンシング素子７０の下端部と連結されるケーブルを示すことであり、８０はセンシング素子７０を保護するための素子保護具を示すことである。
【００２５】
このような構成による本発明の一実施例であるガスレンジ用過熱防止装置の組立過程をよく見れば、まず、一体型シャフト部４０の下端部をケース５０の上端部を通じて下方に貫通させて、そのスプリング下敷部４２がケース５０の内部折り曲げ部５１の上に安着されるようにし、前記スプリング支持部４１の内の空間部にスプリング３０を安着して、このスプリング３０の上端部に集熱板２０が配置された状態で前記ケース５０と一体型に結合されるようにして組立を完成させる。
【００２６】
この時、前記ケース５０の折り曲げ部５１の下端外周面には、固着防止カバー６０が押し込まれる方式で結合された状態となる。
【００２７】
このような本装置をガスレンジの鍋下敷の中央部に位置するように設置した後、集熱板２０の上に鍋１０が置かれると、この集熱板２０が鍋１０の底面に押されながら密着され、これによってケース５０はスプリング３０の弾性支持によって下方に一定の高さに下降し、このような状態で鍋１０で火炎を供給すると鍋１０の加熱温度が集熱板２０を通じてセンシング素子７０に伝導され、このセンシング素子７０は伝導された熱をセンシングして、ケーブル７１を通じてコントローラ(不図示)で鍋の温度情報を伝達する。
【００２８】
そして、このような温度情報を予め設定された安全温度と比較して希望料理温度の以上であれば、コントローラによってガス供給が遮断されるようにして、過熱を防止することができる。
【００２９】
そして、鍋１０がわいてあふれた汁物がケース５０に沿って下方に流れる場合には、その下端部の固着防止カバー６０によって汁物が外側下方に経由されて、ケース５０とシャフト４０が会う部位へ汁物が流入されることをあらかじめ遮断することができる。
【００３０】
一方、鍋が分離されて集熱板への加圧力が解除されると、スプリングの反発力によってケース２０が上方に元の状態に復帰されて、再び鍋下敷で載置される鍋に対する過熱測定の準備をする。
【００３１】
前述のように、本発明の一実施形態に係るガスレンジ用過熱防止装置は、ケースの下端部とシャフトが会う地点に汁物が流入されることを防止するためにこの流入部分に該当するケースに別の分離型構造である固着防止手段を設けることによって、シャフトとケースがわいてあふれた汁物によって、互いに固着する心配がないので、結果的に製品に対する信頼性が向上できる。
【００３２】
以上、本発明は前記の望ましい実施例によって説明したが、このような実施例を従来の公知技術と単純に組合適用した変形例はもちろん、本発明の特許請求範囲と詳細な説明で本発明が属する技術分野の当業者が容易に変更して利用可能なすべての技術は、本発明の技術範囲に含まれることは当然である。
【符号の説明】
【００３３】
１ : 鍋
２ : 集熱板
３ : シャフト
４ : ケース
１０ : 鍋
２０ : 集熱板
３０ : スプリング  
４０ : シャフト
４１ : スプリング支持部
４２ : スプリング下敷部
４３ : シャフト本体
５０ : ケース
５１ : 折り曲げ部  
６０ : 固着防止カバー
６１ : 直管部
６２ : 円錐部
６３ : 弾性部
７０ : センシング素子
７１ : ケーブル
８０ : 素子保護
【要約】      （修正有）【課題】シャフトとケースがわいてあふれた汁物によって互いに固着する心配がないレンジ用過熱防止装置。【解決手段】鍋１０の底面に密着される集熱板２０を支えるスプリング３０の下端の外周部を囲む大直径構造のスプリング支持部と、この下端部から中心軸方向に折り曲げ、スプリングの底面を支えるスプリング下敷部と、スプリング下敷部の内周面から下方に延長される小直径構造のシャフト本体からなるシャフト４０及び、中央部がスプリング及びシャフトのスプリング支持部を囲み、下端部にスプリング下敷部の底面を支えるように内側に折り曲げた折り曲げ部が設けられ、折り曲げ部から再び下方に延長されてシャフト本体の外周面上端部を囲んだ状態でシャフトに対して上下に弾性昇降されるケース５０を含む構成からなる。汁物が流入されることを防止するために、この流入部分に該当するケースに、別の分離型構造である固着防止手段を設ける。【選択図】図３【図１】
0005572238.tif 000002
【図２】
0005572238.tif 000003
【図３】
0005572238.tif 000004
【図４】
0005572238.tif 000005